(57)【要約】【課題】第２層厚規制部材の設置空間を第１層厚規制部材の設置空間に近接して確保し得るように第２層厚規制部材を改良し、現像装置の小型化に伴い層厚規制部材のスパンが短縮化されても組み付け誤差による接触力の誤差を抑制することができる現像装置を提供する。【解決手段】現像ローラ１２の表面上に保持されたトナーの層厚を規制する第１層厚規制部材１３と、この第１層厚規制部材よりも現像ローラの回転方向下流側に設けられ、層厚が規制された現像ローラの表面上のトナー像を帯電する第２層厚規制部材１４とを備える。第２層厚規制部材の中途部を、その基端を固着した先端を現像ローラに接触させるように折り曲げ、第２層厚規制部材の基端側部分１４ａの延長線ｇに対する先端側部分１４ｂの折り曲げ角度θを、３０ｄｅｇ≦θ≦６０ｄｅｇの関係を満たすように設定している。【選択図】      図１
2005115082.tif 000002
【特許請求の範囲】
【請求項１】
潜像担持体の表面に対向するように設けられ、表面に保持される一成分系現像剤を潜像担持体上の静電潜像に対し自身の回転に伴い作用させて潜像担持体の表面上に画像を現像する現像ローラと、
この現像ローラの表面上に保持された一成分系現像剤の層厚を規制する第１層厚規制部材と、
この第１層厚規制部材よりも現像ローラの回転方向下流側に設けられ、層厚が規制された現像ローラの表面上の一成分系現像剤を帯電する第２層厚規制部材とを備え、
上記第２層厚規制部材は、基端が固着されて先端が現像ローラに接触するように中途部が折り曲げられ、
その基端側の延長線に対する先端側の折り曲げ角度θは、
３０ｄｅｇ≦θ≦６０ｄｅｇ
の関係を満たすように設定されている
ことを特徴とする現像装置。
【請求項２】
上記請求項１に記載の現像装置において、
第２層厚規制部材の基端側の延長線に対する現像ローラの中心点までの水平方向の距離Ｘｏ、
第２層厚規制部材の基端から現像ローラの中心点までの鉛直方向の距離Ｙｏ、
現像ローラの直径Ｄは、
（Ｘｏ2＋Ｙｏ2）0.5／Ｄ0.5≧ ５
の関係を満たすように設定されている
ことを特徴とする現像装置。
【請求項３】
上記請求項１または請求項２に記載の現像装置において、
第２層厚規制部材の現像ローラに対する接触力は、第１層厚規制部材の現像ローラに対する接触力の３０％〜７０％の範囲内に設定されていることを特徴とする現像装置。
【請求項４】
上記請求項１ないし請求項３のいずれか１つに記載の現像装置において、
第２層厚規制部材の現像ローラに対する接触位置は、現像ローラに対し一成分系現像剤を接触により供給する供給ローラの現像ローラに対する接触位置と、潜像担持体に対して接触する現像ローラの接触位置との現像ローラ上での周方向広域側の中間位置から±３０°の範囲内に設定されていることを特徴とする現像装置。
【発明の詳細な説明】
【技術分野】
【０００１】
本発明は、一成分系現像剤を用いる現像装置に関し、装置の小型化に伴いスパンが短くなる層厚規制部材の組み付け誤差による現像ローラへの押し付け力の誤差の増加を抑制する対策に係わる。
【背景技術】
【０００２】
一般に、電子写真法における画像形成には、大別して一成分系現像剤を用いる方式と、二成分系現像剤を用いる方式との二種類があるが、この前者の一成分系現像剤を用いる方式においては、現像ローラ上に現像剤を薄膜層として形成する際、現像ローラの表面上に保持された一成分系現像剤の層厚を第１層厚規制部材の接触により規制し、この第１層厚規制部材よりも現像ローラの回転方向下流側に設けられた第２層厚規制部材によって、層厚が規制された現像ローラの表面上の一成分系現像剤を帯電させるようにしている（例えば、特許文献１参照）。この場合、第１および第２層厚規制部材は、それぞれ基端が固着されて先端付近が現像ローラに接触するように構成され、現像ローラに対する接触力がハリの公式に基づいて設定されている。
【０００３】
ここで、ハリの公式について説明するに、図９に示すように、基端が固定され先端が自由端となる、はりＸにおいて、その先端に作用する荷重ｗ、はりＸの先端の変位成分ｖ、はりＸの長さＬ、はりＸの幅ｂ、はりＸの高さｈとすると、
はりＸの先端での荷重ｗによる最大変位成分ｖmaxは、
ｖmax＝ｗ・Ｌ3／（３Ｅ・Ｉ）      （Ｅ：ヤング率）
となり、はりＸの断面二次モーメントＩは、
Ｉ＝ｂ・ｈ3／１２
となり、はりＸの先端での荷重ｗによる最大変位角度ｉは、
ｉmax＝ｗ・Ｌ2／（２Ｅ／Ｉ）
となり、はりＸの基端での荷重ｗによる曲げモーメントＭは、
Ｍ＝ｗ・Ｌ
となる。
【０００４】
また、図１０に示すように、両端が自由端となる、はりＹにおいて、
その両端での曲げモーメントＭによる変位成分ｖ（ｘ）は、
ｖ（ｘ）＝｛ｘ／（６Ｅ・Ｉ／Ｌ｝｛−３Ｍ・Ｌ・ｘ＋３Ｍ／Ｌ2｝
となり、はりＹの両端での曲げモーメントＭによる最大変位角度ｉは、
ｉmax＝Ｍ・Ｌ／（２Ｅ・Ｉ）
となる。
【０００５】
そして、図１１に示すように、基端が固定され先端が自由端となる、はりＺにおいて、その先端での曲げモーメントＭによる最大変位成分ｖmaxは、
ｖmax＝Ｍ・Ｌ2／（２Ｅ・Ｉ）
となり、はりＺの先端での曲げモーメントＭによる最大変位角度ｉは、
ｉmax＝Ｍ・Ｌ／（Ｅ・Ｉ）
となる。
【特許文献１】特開昭６２−２７８５７８号公報
【発明の開示】
【発明が解決しようとする課題】
【０００６】
ところで、近年より、現像装置は小型化の傾向があり、それに伴って層厚規制部材の設置空間も減少することになる。その場合、現像ローラに対する層厚規制部材の接触力がハリの公式に基づいて設定されているため、現像装置の小型化に伴い層厚規制部材のスパンが短くなると、その層厚規制部材のスパンの短縮化に反比例して組み付け誤差による接触力の誤差が増大することになる。
【０００７】
しかも、現像ローラの回転方向上下流側に第１および第２層厚規制部材を備えているものでは、それぞれの層厚規制部材が互いに近接して設けられる関係上、たとえ第１層厚規制部材の設置空間を確保し得たとしても、現像ローラに対する接触力がハリの公式に基づいて設定されるものであることから、第２層厚規制部材の設置空間を第１層厚規制部材の設置空間に近接して確保するのが非常に難しく、その対策が切望されていた。
【０００８】
本発明は、かかる点に鑑みてなされたものであり、その目的とするところは、第２層厚規制部材の設置空間を第１層厚規制部材の設置空間に近接して確保し得るように第２層厚規制部材を改良し、現像装置の小型化に伴い層厚規制部材のスパンが短縮化されても組み付け誤差による接触力の誤差を抑制することができる現像装置を提供することにある。
【課題を解決するための手段】
【０００９】
上記目的を達成するため、本発明では、潜像担持体の表面に対向するように設けられ、表面に保持される一成分系現像剤を潜像担持体上の静電潜像に対し自身の回転に伴い作用させて潜像担持体の表面上に画像を現像する現像ローラと、この現像ローラの表面上に保持された一成分系現像剤の層厚を規制する第１層厚規制部材と、この第１層厚規制部材よりも現像ローラの回転方向下流側に設けられ、層厚が規制された現像ローラの表面上の一成分系現像剤を帯電する第２層厚規制部材とを備え、上記第２層厚規制部材の中途部を、その基端を固着した先端を現像ローラに接触させるように折り曲げる。そして、上記第２層厚規制部材の基端側の延長線に対する先端側の折り曲げ角度θを、
３０ｄｅｇ≦θ≦６０ｄｅｇ
の関係を満たすように設定している。
【００１０】
ここで、上述したハリの公式に基づいて曲げモーメントによる第２層厚規制部材の基端側部分先端での変位成分および変位角度、並びに第２層厚規制部材の基端側部分先端での荷重の反力による変位成分および変位角度について説明する。
【００１１】
まず、第２層厚規制部材の先端に作用する荷重ｗによる第２層厚規制部材先端での変位成分ｖｈは、第２層厚規制部材の先端側部分の長さをＬｈとすると、
ｖｈ＝ｗ・Ｌｈ3／（３Ｅ・Ｉ）
となり、断面二次モーメントＩは、
Ｉ＝ｂ・ｈ3／１２
となり、曲げモーメントＭは、
Ｍ＝ｗ・Ｌｈ
となる。
【００１２】
そして、曲げモーメントｗ・Ｌｈ（Ｍ）による第２層厚規制部材の基端側部分先端での変位成分ｖｍは、第２層厚規制部材の基端側部分の長さをＹｓとすると、
ｖｍ＝ｗ・Ｌｈ・Ｙｓ2／（２Ｅ／Ｉ）
となり、第２層厚規制部材の基端側部分先端での曲げモーメントｗ・Ｌｈによる変位角度ｉｈは、
ｉｈ＝ｗ・Ｌｈ・Ｙｓ／（Ｅ・Ｉ）ｖｈ
となる。
【００１３】
また、第２層厚規制部材の基端側部分先端での荷重ｗの反力Ｒｗによる変位成分ｖｒは、
ｖｒ＝ｗ・Ｙｓ3／（３Ｅ・Ｉ）
となり、第２層厚規制部材の基端側部分先端での荷重ｗの反力Ｒｗによる変位角度ｉｒは、
ｉｒ＝ｗ・Ｙｓ2／（２Ｅ・Ｉ）
となる。
【００１４】
このとき、第２層厚規制部材の先端（先端側部分の先端）での変位Σｖは、
Σｖ≒ｖｈ＋（ｖｍ＋ｖｒ）cosθ＋Ｌｈ（ｉｍ＋ｉｒ）
＝｛Ｗ／（Ｅ・Ｉ）｝｛Ｌｈ3／３＋（Ｌｈ・Ｙｓ2／２＋Ｙｓ3／３）cosθ
＋Ｌｈ（Ｌｈ・Ｙｓ＋Ｙｓ2／２）｝
となる。
【００１５】
そして、第２層厚規制部材のばね定数ｋ＝ｗ／Σｖより、第２層厚規制部材の組み付け誤差がΔθ、ΔＸ、ΔＹずつ生じたときのばね定数ｋΔθ、ｋΔＸ、ｋΔＹは、
ｗΔθ／ｗ＝ｋΔθ／ｋ−１
ｗΔＸ／ｗ＝ｋΔＸ／ｋ−１
ｗΔＹ／ｗ＝ｋΔＹ／ｋ−１
となり、これらから、下記式により、第２層厚規制部材の正規化荷重変化として、その二乗平均を求める。
【００１６】
ΣｗΔ／ｗ＝〔｛（ｗΔθ／ｗ）2＋（ｗΔＸ／ｗ）2＋（ｗΔＹ／ｗ）2｝／３〕0.5
により、影響を検討する。
【００１７】
このとき、図３に示すように、第２層厚規制部材の基端側の延長線上での先端側の折り曲げ角度θに対する第２層厚規制部材の先端側でのある荷重による変化率ΣΔｗ／ｗの特性において、現像ローラの半径Ｒを８ｍｍに、第２層厚規制部材の基端側の延長線と現像ローラの中心との水平距離Ｘｏを５ｍｍにそれぞれ設定し、第２層厚規制部材の基端から現像ローラの中心までの鉛直距離Ｙｏを１５ｍｍ、２０ｍｍ、２５ｍｍにそれぞれ設定した場合を比較すると、第２層厚規制部材の基端側の延長線上での先端側の折り曲げ角度θが１０ｄｅｇ付近までは、先端側でのある荷重による変化率ΣΔｗ／ｗが互いに重なり合うものの、それ以上の折り曲げ角度θ（１５ｄｅｇ以上）になると、先端側でのある荷重による変化率ΣΔｗ／ｗに差が生じていることが判る。
【００１８】
そこで、図４に示すように、第２層厚規制部材の基端側の延長線上での先端側の折り曲げ角度θに対する、第２層厚規制部材の先端側でのある荷重による変化率ΣΔｗ／ｗに第２層厚規制部材の基端から現像ローラの中心までの鉛直距離Ｙｏを加味した変化率ΣΔｗ／（ｗ・Ｙｏ）の特性において、同様に現像ローラの半径Ｒを８ｍｍに、第２層厚規制部材の基端側の延長線と現像ローラの中心との水平距離Ｘｏを５ｍｍにそれぞれ設定し、第２層厚規制部材の基端から現像ローラの中心までの鉛直距離Ｙｏを１５ｍｍ、２０ｍｍ、２５ｍｍにそれぞれ設定した場合を比較すると、第２層厚規制部材の基端側の延長線上での先端側の折り曲げ角度θが３０ｄｅｇ〜６０ｄｅｇまでの間で、先端側でのある荷重による変化率ΣΔｗ／（ｗ・Ｙｏ）が互いに重なり合うものの、折り曲げ角度θが３０ｄｅｇ未満または６０ｄｅｇを超えると、先端側でのある荷重による変化率ΣΔｗ／（ｗ・Ｙｏ）に差が生じていることが判る。
【００１９】
しかも、図５に示すように、第２層厚規制部材の基端側の延長線上での先端側の折り曲げ角度θに対する、第２層厚規制部材の先端側でのある荷重による変化率ΣΔｗ／ｗに第２層厚規制部材の基端から現像ローラの中心までの鉛直距離Ｙｏを加味した変化率ΣΔｗ／（ｗ・Ｙｏ）の特性において、第２層厚規制部材の基端側の延長線と現像ローラの中心との水平距離Ｘｏを５ｍｍに、第２層厚規制部材の基端から現像ローラの中心までの鉛直距離Ｙｏを２０ｍｍにそれぞれ設定し、現像ローラの半径Ｒを５ｍｍ、８ｍｍ、１０ｍｍ、１２ｍｍにそれぞれ設定した場合を比較すると、第２層厚規制部材の基端側の延長線上での先端側の折り曲げ角度θが３０ｄｅｇ〜６０ｄｅｇまでの間で、先端側でのある荷重による変化率ΣΔｗ／（ｗ・Ｙｏ）が互いに重なり合うものの、折り曲げ角度θが３０ｄｅｇ未満または６０ｄｅｇを超えると、先端側でのある荷重による変化率ΣΔｗ／（ｗ・Ｙｏ）に若干の差が生じていることが判る。
【００２０】
したがって、第２層厚規制部材の基端側の延長線に対する先端側の折り曲げ角度θが３０ｄｅｇ〜６０ｄｅｇに設定されていることにより、現像装置の小型化に伴い第２層厚規制部材のスパンが短くなっていても、この第２層厚規制部材の組み付け誤差により増大する接触力の誤差が抑制されることになり、安定した第２層厚規制部材の接触力を得ることが可能となる。しかも、第２層厚規制部材の中途部が折り曲げられていることにより、第２層厚規制部材の設置空間を第１層厚規制部材の設置空間に近接して容易に確保することが可能となる。
【００２１】
特に、第２層厚規制部材の現像ローラに対する接触圧変動を抑制し得るものとして、以下の構成が掲げられる。
【００２２】
つまり、第２層厚規制部材の基端側の延長線に対する現像ローラの中心点までの水平方向の距離Ｘｏ、第２層厚規制部材の基端から現像ローラの中心点までの鉛直方向の距離Ｙｏ、現像ローラの直径Ｄを、
（Ｘｏ2＋Ｙｏ2）0.5／Ｄ0.5≧ ５
の関係を満たすように設定している。
【００２３】
ここで、その根拠について説明するに、図６に示すように、第２層厚規制部材の基端から現像ローラの中心までの鉛直距離Ｙｏに対する第２層厚規制部材の先端側でのある荷重による変化率ΣΔｗ／ｗの特性において、第２層厚規制部材の基端側の延長線上での先端側の折り曲げ角度θを６０ｄｅｇに、第２層厚規制部材の基端側の延長線と現像ローラの中心との水平距離Ｘｏを５ｍｍにそれぞれ設定し、現像ローラの半径Ｒを８ｍｍ、１０ｍｍ、１５ｍｍにそれぞれ設定した場合を比較すると、現像ローラの半径Ｒが異なっているため、第２層厚規制部材の基端から現像ローラの中心までの鉛直距離Ｙｏに対する第２層厚規制部材の先端側でのある荷重による変化率ΣΔｗ／ｗに差が生じていることが判る。
【００２４】
そこで、図７に示すように、現像ローラへの接触力の平均値（Ｘｏ2＋Ｙｏ2）0.5／Ｄ0.5に対する第２層厚規制部材の先端側でのある荷重による変化率ΣΔｗ／ｗの特性において、第２層厚規制部材の基端側の延長線と現像ローラの中心との水平距離Ｘｏを５ｍｍに、第２層厚規制部材の基端から現像ローラの中心までの鉛直距離Ｙｏを８ｍｍに、１０ｍｍ、１５ｍｍ、２０ｍｍ、２５ｍｍに、第２層厚規制部材の基端側の延長線上での先端側の折り曲げ角度θを９０ｄｅｇにそれぞれ設定し、現像ローラの半径Ｒを８ｍｍ、１０ｍｍ、１５ｍｍにそれぞれ設定した場合を比較すると、現像ローラへの接触力の平均値（Ｘｏ2＋Ｙｏ2）0.5／Ｄ0.5が５を超えると、先端側でのある荷重による変化率ΣΔｗ／ｗが比較的安定しているものの、現像ローラへの接触力の平均値（Ｘｏ2＋Ｙｏ2）0.5／Ｄ0.5が５未満では、先端側でのある荷重による変化率ΣΔｗ／ｗが安定していないことが判る。
【００２５】
そこで、図８に示すように、現像ローラへの接触力の平均値（Ｘｏ2＋Ｙｏ2）0.5／Ｄ0.5に対する第２層厚規制部材の先端側でのある荷重による変化率ΣΔｗ／ｗの特性において、第２層厚規制部材の基端側の延長線と現像ローラの中心との水平距離Ｘｏを５ｍｍに、第２層厚規制部材の基端から現像ローラの中心までの鉛直距離Ｙｏを１０ｍｍに、第２層厚規制部材の基端側の延長線上での先端側の折り曲げ角度θを６０ｄｅｇにそれぞれ設定し、現像ローラの半径Ｒを８ｍｍ、１０ｍｍ、１５ｍｍにそれぞれ設定した場合を比較すると、現像ローラに対する接触力の平均値（Ｘｏ2＋Ｙｏ2）0.5／Ｄ0.5が５を超えると、先端側でのある荷重による変化率ΣΔｗ／ｗが安定しているものの、現像ローラに対する接触力の平均値（Ｘｏ2＋Ｙｏ2）0.5／Ｄ0.5が５未満では、先端側でのある荷重による変化率ΣΔｗ／ｗが安定していないことが判る。
【００２６】
したがって、第２層厚規制部材の基端側の延長線に対する現像ローラの中心点までの水平方向の距離Ｘｏ、第２層厚規制部材の基端から現像ローラの中心点までの鉛直方向の距離Ｙｏ、現像ローラの直径Ｄを、（Ｘｏ2＋Ｙｏ2）0.5／Ｄ0.5≧ ５の関係を満たすように設定していることにより、第２層厚規制部材の組み付け誤差による現像ローラへの接触力の平均値が変曲点５を超えて先端側でのある荷重による変化率ΣΔｗ／ｗを安定させる領域に移行することになり、第２層厚規制部材の接触力の変動を抑制して安定した画像を得ることが可能となる。
【００２７】
特に、第２層厚規制部材の進入側での現像剤の堆積を防止するものとして、以下の構成が掲げられる。
【００２８】
つまり、第２層厚規制部材の現像ローラに対する接触力を、第１層厚規制部材の現像ローラに対する接触力の３０％〜７０％の範囲内に設定している。
【００２９】
この特定事項により、第２層厚規制部材の現像ローラに対する接触力が第１層厚規制部材の現像ローラに対する接触力を超えた場合に生ずる第２層厚規制部材の進入側での現像剤の堆積が防止され、第２層厚規制部材の進入側での現像剤の堆積による現像不良を確実に防止することが可能となる。しかも、第２層厚規制部材の現像ローラに対する接触力が、第１層厚規制部材の現像ローラに対する接触力の３０％以上に確保されていることにより、第２層厚規制部材を現像ローラに対し確実に作用させることが可能となる。
【００３０】
更に、現像ローラの撓み変形を緩和し得るものとして、以下の構成が掲げられる。
【００３１】
つまり、第２層厚規制部材の現像ローラに対する接触位置を、現像ローラに対し一成分系現像剤を接触により供給する供給ローラの現像ローラに対する接触位置と、潜像担持体に対して接触する現像ローラの接触位置との現像ローラ上での周方向広域側の中間位置から±３０°の範囲内に設定している。
【００３２】
この特定事項により、現像ローラに対する第２層厚規制部材の接触力と現像ローラに対する供給ローラの接触力とによる合成ベクトルと、現像ローラに対する潜像担持体の接触力とが効果的に相殺され、現像ローラの撓み変形を緩和させることが可能となる。
【発明の効果】
【００３３】
以上、要するに、第２層厚規制部材の基端側の延長線に対する先端側の折り曲げ角度θを３０ｄｅｇ〜６０ｄｅｇに設定することで、現像装置の小型化に伴いスパンが短くなるために増大する第２層厚規制部材の組み付け誤差による接触力の誤差を抑制し、安定した第２層厚規制部材の接触力を得ることができる。しかも、第２層厚規制部の中途部を折り曲げることで、第２層厚規制部材の設置空間を第１層厚規制部材の設置空間に近接して容易に確保することができる。
【発明を実施するための最良の形態】
【００３４】
以下、本発明を実施するための最良の形態を図面に基づいて説明する。
【００３５】
図１は、本発明の実施形態に係わる現像装置の概略構成図を示している。
【００３６】
この図１において、現像装置１は、一成分系現像剤としての非磁性トナーが収容された現像容器１０内にウレタン素材からなる供給ローラ１１と、現像ローラ１２とを備えている。この供給ローラ１１と現像ローラ１２とは互いに接触した状態で配置されている。また、上記現像ローラ１２は、その外周面の一部を現像容器１０の開口部１０ａから外方に臨ませるように露出させ、その露出部を静電潜像が担持される潜像担持体としての感光体ドラム２の表面に対向させるように設けられている。そして、上記現像ローラ１２は、供給ローラ１１との接触により表面に保持されたトナーを感光体ドラム２上の静電潜像に対し自身の回転に伴い作用させて感光体ドラム２の表面上に画像を現像するようになされている。この場合、供給ローラ１１は、開口部１０ａとは反対側に位置する現像容器１０の他側（図１では右側）の底部に設けられている。
【００３７】
また、現像容器１０内の上部には、現像ローラ１２の表面上に保持されたトナーの層厚を規制する第１層厚規制部材１３と、この第１層厚規制部材１３よりも現像ローラ１２の回転方向下流側（図１では左側）に設けられ、層厚が規制された現像ローラ１２の表面上のトナーを帯電する第２層厚規制部材１４とを備えている。
【００３８】
上記第１層厚規制部材１３は、現像容器１０内の一側面上部位置に基端が固定されて直線状に延び、その先端が現像ローラ１２の表面上に接触している。この第１層厚規制部材１３の先端は、上方に向かって略直角に折曲されている。
【００３９】
一方、上記第２層厚規制部材１４は、基端側部分１４ａと先端側部分１４ｂとを有し、基端側部分１４ａの基端が現像容器１０内の上面に固着されて先端側部分１４ｂの先端が現像ローラ１２に接触するように中途部が折り曲げられている。上記第２層厚規制部材１４の基端側部分１４ａは、現像容器１０内の上面に基端が固着されて鉛直方向に直線状に垂下している一方、先端側部分１４ｂは、基端側部分１４ａの先端より開口部１０ａ向きに折り曲げられて先端が現像ローラ１２に対しその法線方向から接触するように直線状に延びている。
【００４０】
そして、上記第２層厚規制部材１４の基端側部分１４ａの延長線ｇに対する先端側部分１４ｂの折り曲げ角度θは、
３０ｄｅｇ≦θ≦６０ｄｅｇ
の関係を満たすように設定されている。
【００４１】
また、上記第２層厚規制部材１４の基端側部分１４ａの延長線ｇに対する現像ローラ１２の中心点Ｏまでの水平方向の距離Ｘｏ、第２層厚規制部材１４の基端から現像ローラ１２の中心点Ｏまでの鉛直方向の距離Ｙｏ、現像ローラ１２の直径Ｄ（２Ｒ）は、
（Ｘｏ2＋Ｙｏ2）0.5／Ｄ0.5≧ ５
の関係を満たすように設定されている。
【００４２】
更に、上記第２層厚規制部材１４の現像ローラ１２に対する接触力は、第１層厚規制部材１３の現像ローラ１２に対する接触力の３０％〜７０％の範囲内に設定されている。また、図２に示すように、上記第１層厚規制部材１３の現像ローラ１２に対する接触位置Ａ１、および上記第２層厚規制部材１４の現像ローラ１２に対する接触位置Ａ２は、供給ローラ１１の現像ローラ１２に対する接触位置Ｂと、感光体ドラム２に対して接触する現像ローラ１２の接触位置Ｃとの現像ローラ１２上での周方向広域側（図２では上側の領域）の中間位置Ｓから±３０°の範囲内にそれぞれ設定されている。
【００４３】
したがって、上記形態では、図５に示すように、第２層厚規制部材の基端側の延長線上での先端側の折り曲げ角度θに対する、第２層厚規制部材の先端側でのある荷重による変化率ΣΔｗ／ｗに第２層厚規制部材の基端から現像ローラの中心までの鉛直距離Ｙｏを加味した変化率ΣΔｗ／（ｗ・Ｙｏ）の特性において、第２層厚規制部材の基端側の延長線と現像ローラの中心との水平距離Ｘｏを５ｍｍに、第２層厚規制部材の基端から現像ローラの中心までの鉛直距離Ｙｏを２０ｍｍにそれぞれ設定し、現像ローラの半径Ｒを５ｍｍ、８ｍｍ、１０ｍｍ、１２ｍｍにそれぞれ設定した場合を比較すると、第２層厚規制部材の基端側の延長線上での先端側の折り曲げ角度θが３０ｄｅｇ〜６０ｄｅｇまでの間で、先端側でのある荷重による変化率ΣΔｗ／（ｗ・Ｙｏ）が互いに重なり合うものの、折り曲げ角度θが３０ｄｅｇ未満または６０ｄｅｇを超えると、先端側でのある荷重による変化率ΣΔｗ／（ｗ・Ｙｏ）に若干の差が生じていることから、第２層厚規制部材１４の基端側部分１４ａの延長線ｇに対する先端側部分１４ｂの折り曲げ角度θを３０ｄｅｇ〜６０ｄｅｇに設定することで、現像装置１の小型化に伴い第２層厚規制部材１４のスパンが短くなっていても、この第２層厚規制部材１４の組み付け誤差により増大する接触力の誤差が抑制されることになり、安定した第２層厚規制部材１４の接触力を得ることができる。しかも、第２層厚規制部材１４の中途部が折り曲げられていることにより、第２層厚規制部材１４の設置空間を第１層厚規制部材１３の設置空間に近接して容易に確保することができる。
【００４４】
また、図８に示すように、現像ローラへの接触力の平均値（Ｘｏ2＋Ｙｏ2）0.5／Ｄ0.5に対する第２層厚規制部材１４の先端（先端側部分１４ｂの先端）でのある荷重による変化率ΣΔｗ／ｗの特性において、第２層厚規制部材１４の基端側部分１４ａの延長線ｇと現像ローラ１２の中心Ｏとの水平距離Ｘｏを５ｍｍに、第２層厚規制部材１４の基端から現像ローラ１２の中心Ｏまでの鉛直距離Ｙｏを１０ｍｍに、第２層厚規制部材１４の基端側部分１４ａの延長線ｇ上での先端側部分１４ｂの折り曲げ角度θを６０ｄｅｇにそれぞれ設定し、現像ローラ１２の半径Ｒを８ｍｍ、１０ｍｍ、１５ｍｍにそれぞれ設定した場合を比較すると、現像ローラ１２に対する接触力の平均値（Ｘｏ2＋Ｙｏ2）0.5／Ｄ0.5が５を超えると、第２層厚規制部材１４の先端でのある荷重による変化率ΣΔｗ／ｗが安定しているものの、現像ローラ１２に対する接触力の平均値（Ｘｏ2＋Ｙｏ2）0.5／Ｄ0.5が５未満では、先端でのある荷重による変化率ΣΔｗ／ｗが安定していないことから、第２層厚規制部材１４の基端側部分１４ａの延長線ｇに対する現像ローラ１２の中心点Ｏまでの水平方向の距離Ｘｏ、第２層厚規制部材１４の基端から現像ローラ１２の中心点Ｏまでの鉛直方向の距離Ｙｏ、現像ローラ１２の直径Ｄを、（Ｘｏ2＋Ｙｏ2）0.5／Ｄ0.5≧ ５の関係を満たすように設定していることにより、第２層厚規制部材１４の組み付け誤差による現像ローラ１２への接触力の平均値が変曲点５を超えて先端でのある荷重による変化率ΣΔｗ／ｗを安定させる領域に移行することになり、第２層厚規制部材１４の接触力の変動を抑制して安定した画像を得ることができる。
【００４５】
そして、第２層厚規制部材１４の現像ローラ１２に対する接触力が、第１層厚規制部材１３の現像ローラ１２に対する接触力の３０％〜７０％の範囲内に設定されているので、第２層厚規制部材１４の現像ローラ１２に対する接触力が第１層厚規制部材１３の現像ローラ１２に対する接触力を超えた場合に生ずる第２層厚規制部材１４の進入側でのトナーの堆積が防止され、第２層厚規制部材１４の進入側でのトナーの堆積による現像不良を確実に防止することができる。しかも、第２層厚規制部材１４の現像ローラ１２に対する接触力が、第１層厚規制部材１３の現像ローラ１２に対する接触力の３０％以上に確保されていることにより、第２層厚規制部材１４を現像ローラ１２に対し確実に作用させることができる。
【００４６】
更に、第１層厚規制部材１３の現像ローラ１２に対する接触位置Ａ１および第２層厚規制部材１４の現像ローラ１２に対する接触位置Ａ２が、供給ローラ１１の現像ローラ１２に対する接触位置Ｂと、感光体ドラム２に対して接触する現像ローラ１２の接触位置Ｃとの現像ローラ１２上での周方向広域側（図２では上側の領域）の中間位置Ｓから±３０°の範囲内に設定されているので、現像ローラ１２に対する第１および第２層厚規制部材１３，１４の接触力と現像ローラ１２に対する供給ローラ１１の接触力とによる合成ベクトルと、現像ローラ１２に対する感光体ドラム２の接触力とが効果的に相殺され、現像ローラ１２の撓み変形を緩和させることができる。
【図面の簡単な説明】
【００４７】
【図１】本発明の形態に係わる現像装置付近の概略構成図である。
【図２】現像ローラに対する第１，第２層厚規制部材、供給ローラおよび感光体ドラムの接触位置を説明する現像装置付近の概略説明図である。
【図３】第２層厚規制部材の基端側の延長線上での先端側の折り曲げ角度θに対する第２層厚規制部材の先端側でのある荷重による変化率ΣΔｗ／ｗの特性を第２層厚規制部材の基端から現像ローラの中心までの異なる鉛直距離Ｙｏごとに示す特性図である。
【図４】第２層厚規制部材の基端側の延長線上での先端側の折り曲げ角度θに対する、第２層厚規制部材の先端側でのある荷重による変化率ΣΔｗ／ｗに第２層厚規制部材の基端から現像ローラの中心までの鉛直距離Ｙｏを加味した変化率ΣΔｗ／（ｗ・Ｙｏ）の特性をその第２層厚規制部材の基端から現像ローラの中心までの異なる鉛直距離Ｙｏごとに示す特性図である。
【図５】第２層厚規制部材の基端側の延長線上での先端側の折り曲げ角度θに対する、第２層厚規制部材の先端側でのある荷重による変化率ΣΔｗ／ｗに第２層厚規制部材の基端から現像ローラの中心までの鉛直距離Ｙｏを加味した変化率ΣΔｗ／（ｗ・Ｙｏ）の特性を異なる現像ローラの半径Ｒごとに示す図である。
【図６】第２層厚規制部材の基端から現像ローラの中心までの鉛直距離Ｙｏに対する第２層厚規制部材の先端側でのある荷重による変化率ΣΔｗ／ｗの特性を異なる現像ローラの半径Ｒごとに示す特性図である。
【図７】現像ローラへの接触力の平均値（Ｘｏ2＋Ｙｏ2）0.5／Ｄ0.5に対する第２層厚規制部材の先端側でのある荷重による変化率ΣΔｗ／ｗの特性を不適切な折り曲げ角度θに設定した状態で異なる現像ローラの半径Ｒごとに示す特性図である。
【図８】現像ローラへの接触力の平均値（Ｘｏ2＋Ｙｏ2）0.5／Ｄ0.5に対する第２層厚規制部材の先端でのある荷重による変化率ΣΔｗ／ｗの特性を最適な折り曲げ角度θに設定した状態で異なる現像ローラの半径Ｒごとに示す特性図である。
【図９】基端が固定され先端が自由端となるはりの先端での荷重ｗによる最大変位成分を説明する説明図である。
【図１０】両端が自由端となるはりの両端での曲げモーメントＭによる変位成分を説明する説明図である。
【図１１】基端が固定され先端が自由端となるはりの先端での曲げモーメントＭによる最大変位成分を説明する説明図である。
【符号の説明】
【００４８】
１      現像装置
１１    供給ローラ
１２    現像ローラ
１３    第１層厚規制部材
１４    第２層厚規制部材
１４ａ  基端側部分（基端側）
１４ｂ  先端側部分（先端側）
２      感光体ドラム（潜像担持体）
ｇ      基端側部分の延長線
θ      基端側部分の延長線に対する先端側部分の折り曲げ角度
Ｏ      現像ローラの中心点
Ｄ      現像ローラの直径
Ａ２    第２層厚規制部材の現像ローラに対する接触位置
Ｂ      供給ローラの現像ローラに対する接触位置
Ｃ      感光体ドラムに対して接触する現像ローラの接触位置
Ｓ      供給ローラの現像ローラに対する接触位置と感光体ドラムに対して接触する現像ローラの接触位置との現像ローラ上での周方向広域側の中間位置
Ｘｏ    基端側部分の延長線に対する現像ローラの中心点までの水平方向の距離
Ｙｏ    第２層厚規制部材の基端から現像ローラの中心点までの鉛直方向の距離
【図１】
2005115082.tif 000003
【図２】
2005115082.tif 000004
【図３】
2005115082.tif 000005
【図４】
2005115082.tif 000006
【図５】
2005115082.tif 000007
【図６】
2005115082.tif 000008
【図７】
2005115082.tif 000009
【図８】
2005115082.tif 000010
【図９】
2005115082.tif 000011
【図１０】
2005115082.tif 000012
【図１１】
2005115082.tif 000013